(57)【要約】      （修正有）【課題】立体式広告灯箱を提供する。【解決手段】広告灯箱１０は、展示ケース体１と、光源装置２と、を備える。そのうち、展示ケース体１は湾曲状を形成し、展示パネル１１と、バックプレート１２と、２つの連結板１３と、を含む。展示パネル１１は、広告図案の表示に用いる。２つの連結板１３は、それぞれ展示パネル１１とバックプレート１２上下両側の間に連結し、展示パネル１１と、バックプレート１２と、２つの連結板１３との間に収容空間１４を形成する。光源装置２は、並列する複数の反射板２１と、複数の発光モジュール２２と、複数の連結部材２３と、を含む。それぞれの反射板２１によって、２つの入射面２１１と、一つの投射面２１２と、２つの側辺投射面２１３とを仕切られ、２つの入射面２１１は反射板２１の上下両側の側面に位置する。【選択図】図１
0003191917.tif 000002
【実用新案登録請求の範囲】
【請求項１】
立体式広告灯箱であって、
湾曲度を形成され内部に収容空間を有し、外側に広告図案を表示するための展示パネルを有する展示ケース体と、
並列して設ける複数の反射板と、複数の発光モジュールと、前記反射板の上下両側に連結する連結部材と、を含む、前記発光モジュールはフレキシブルプリント基板と、前記フレキシブルプリント基板に設ける発光ダイオードとを有し、前記発光モジュールの前記フレキシブルプリント基板が連結部材に連結していて、前記発光ダイオードが前記反射板に面して上下端に取り付けて光源を入射し、２つの隣接する前記フレキシブルプリント基板を互いに連結することによって、前記展示ケース体の内部に収容するときは、複数の前記反射板に連結する前記フレキシブルプリント基板に従って、前記展示ケース体の湾曲状に対応することができる光源装置と、を備えることを特徴とする、立体式広告灯箱。
【請求項２】
前記光源装置の前記連結部材は金属板を用いて、前記発光ダイオードの熱エネルギーを伝達及び放熱することを特徴とする、請求項１記載の立体式広告灯箱。
【請求項３】
前記光源装置の前記反射板は弧形を形成することを特徴とする、請求項１記載の立体式広告灯箱。
【考案の詳細な説明】
【技術分野】
【０００１】
本考案は広告灯箱に適用でき、特に柱の形状に湾曲して設置する広告灯箱に関し、均一な輝度を有し、なおかつ簡単に製造できる立体式広告灯箱に関する。
【背景技術】
【０００２】
ビルの柱（例えば、張り出し建造物の軒の下またはオフィスビルの柱など）に取り付ける従来の広告灯箱は、透光性の板部材からケース体に仕上げて構成され、透光性の板部材の表面に広告図案を印刷していて、ケース体内部に公知の光源装置（例えば、蛍光灯など）を取り付けて、広告図案を映し出す。
【考案の概要】
【考案が解決しようとする課題】
【０００３】
しかし、異なる形状や寸法のビルの柱に取り付ける場合は、複数組の従来の広告灯箱を一つずつに柱に巡らせてから締め付け固定しなければならない。
【０００４】
さらに、光線が透光性の板部材表面の広告図案に投射すると、外部から内部に光線の集中区域と分散区域がはっきりに見分けることができ、２つの広告灯箱のつなぎ場所に明暗区が際立つため、全体の輝度の不均一が見られるほか、ビルの柱の形状を完全に融合することができず、唐突感を有し美観性を欠ける。従来の広告灯箱は、従来の光源装置を収容するために大きい空間が必要、体積が大きく、かつ重く、しかも分厚いである。
【課題を解決するための手段】
【０００５】
本考案の目的は、柱の湾曲状に適用でき、輝度が均一、全体に美観性及び実用性を有すると共に、製造を簡素化できる立体式広告灯箱を提供する。
【０００６】
前述目的を達成するため、本考案の立体式広告灯箱は展示ケース体と、光源装置とを備える。展示ケース体は湾曲状を形成し、内部に収容空間を有し、外側に展示パネルを有する。光源装置は、並列して設ける複数の反射板と、複数の発光モジュールと、反射板に連結する連結部材と、を含む。発光モジュールはフレキシブルプリント基板と、フレキシブルプリント基板に設ける発光ダイオードとを有し、それぞれの発光モジュールのフレキシブルプリント基板を連結部材につなぎ、発光ダイオードが反射板に面して上下両側に取り付けて光源を入射し、２つの隣接するフレキシブルプリント基板を互いに連結することによって、光源装置を展示ケース体の収容空間に収容するときは、複数の反射板につなぐフレキシブルプリント基板に従って、展示ケース体の湾曲状に対応した形状を形成することができる。
【０００７】
よって、光源装置はそれぞれの形状及び寸法の展示ケース体に対応できると共に、展示パネルに対し、均一な投射輝度を有し、全体の美観を有し簡単に製造できる。
【図面の簡単な説明】
【０００８】
【図１】本考案の実施例の局所断面を示す図である。
【図２】本考案の図１Ａの局所の拡大を示す図である。
【図３】本考案の実施例による光源装置の立体図である。
【図４】本考案の実施例による光源装置の側面を示す図である。
【図５】本考案の実施例における光線の投射状態を示す図である。
【図６】本考案の実施例による光源装置が縦状態を示す図である。
【図７】本考案の実施例による光源装置が湾曲状態を示す図である。
【図８】本考案のもう一つの実施例による光源装置を示す図である。
【考案を実施するための形態】
【０００９】
以下、添付図面を参照して本考案の実施の形態を詳細に説明する。
【実施例】
【００１０】
図１ないし５を参照する。図に示すように、本考案の実施例において、広告灯箱１０は、展示ケース体１と、光源装置２と、を備える。
【００１１】
そのうち、展示ケース体１は湾曲状を形成し、展示パネル１１と、バックプレート１２と、２つの連結板１３と、を含む。展示パネル１１は、広告図案の表示に用いる。２つの連結板１３は、それぞれ展示パネル１１とバックプレート１２上下両側の間に連結し、展示パネル１１と、バックプレート１２と、２つの連結板１３との間に収容空間１４を形成する。
【００１２】
光源装置２は、並列する複数の反射板２１と、複数の発光モジュール２２と、複数の連結部材２３と、を含む。それぞれの反射板２１によって、２つの入射面２１１と、一つの投射面２１２と、２つの側辺投射面２１３とを仕切られ、２つの入射面２１１は反射板２１の上下両側の側面に位置する。２つ側辺投射面２１３は反射板２１左右両側の側面に位置し、それぞれの発光モジュール２２は、フレキシブルプリント基板２２１と、フレキシブルプリント基板２２１に設ける発光ダイオード２２２とを有し、連結部材２３は金属板である。反射板２１上下両側とも連結部材２３と、発光モジュール２２のフレキシブルプリント基板２２１に連結してから連結部材２３につなぎ、発光モジュール２２の発光ダイオード２２２が反射板２１に面して上下両側に取り付けて、光源の入射に備える。連結部材２３は発光ダイオード２２２の発光による熱エネルギーの伝達及び放熱に用いる。２つの隣接する発光モジュール２２のフレキシブルプリント基板２２１が互いに連結していて、光源装置２が複数の反射板２１に連結するフレキシブルプリント基板２２１と湾曲自在の形状を形成する。
【００１３】
広告灯箱１０をビルの柱３に適用し、柱３は例えば、張り出し建造物の軒の下またはオフィスビルの柱などである。広告灯箱１０の展示ケース体１を柱３の外周部に巡らせて取り付け、光源装置２を展示ケース体１の収容空間１４に収容し、光源装置２は並列の反射板２１を介して連結するフレキシブルプリント基板２２１と湾曲自在の状態を形成して、展示ケース体１の湾曲状に対応して形成し、取り付けが非常に便利である。光源装置２を起動すると、発光ダイオード２２２によって、光線を反射板２１上下両側に備える２つの入射面２１１に入射し、回折と拡散を経て投射面２１２から展示パネル１１へ均一に投射して広告図案に投影される。このように、複数の反射板２１は展示パネル１１に均一な輝度を提供できるため、全体の美観性を向上できる。光源装置２は並列された複数の反射板２１に連結するフレキシブルプリント基板２２１によって、湾曲自在できるため、さまざまな形状の柱３に適用できる。さらに、反射板２１はフレキシブルプリント基板２２１を利用し直列連結を形成して、反射板２１と発光モジュール２２をモジュール化し必要に応じて、光源装置２の長さを増減し、それぞれの寸法の柱３の設置に合わせることができるため、広告灯箱１０の適用範囲は制限を受けることなく、軽薄化、スペース取らない効果を達成できると共に、製造の利便性が提供される。
【００１４】
さらに、並列された２つの隣接する反射板２１両側の側辺の投射面２１３は、光源装置２に湾曲するための間隔を提供すると共に、発光ダイオード２２２の光線が側辺の投射面２１３と、もう一つの側辺の投射面２１３から複数回の回折と拡散を繰り返して２つの隣接する反射板２１の隙間に暗区を残さず、広告灯箱１０の投影する輝度が非常に均一であり、美観しかも実用的である。
【００１５】
引き続き図６に光源装置２は、複数の反射板２１に連結するフレキシブルプリント基板２２１が直線状に延ばした態様が示されている。
【００１６】
引き続き図７に光源装置２は、複数の反射板２１に連結するフレキシブルプリント基板２２１が湾曲状を形成されている。
【００１７】
引き続き図８、もう一つの実施例による光源装置２′を示す図を参照する。光源装置２′は反射板２１′と、反射板２１′上下両側に設ける発光モジュール２２′と、連結部材２３′とを含む。ここの光源装置２′と図１に示す光源装置２と異なる点は、反射板２１′が弧形を形成し、複数の反射板２１′に連結して、湾曲状に形成することによって、より滑らかな湾曲度を形成できる。
【符号の説明】
【００１８】
１０    広告灯箱
１      展示ケース体
１１    展示パネル
１２    背板
１３    連結板
１４    収容空間
２      光源装置
２１    反射板
２１１  入射面
２１２  投射面
２１３  側辺の投射面
２２    発光モジュール
２２１  フレキシブルプリント基板
２２２  発光ダイオード
２３    連結部材
３      柱
２′    光源装置
２１′  反射板
２２′  発光モジュール
２３′  連結部材
【図１】
0003191917.tif 000003
【図２】
0003191917.tif 000004
【図３】
0003191917.tif 000005
【図４】
0003191917.tif 000006
【図５】
0003191917.tif 000007
【図６】
0003191917.tif 000008
【図７】
0003191917.tif 000009
【図８】
0003191917.tif 000010